(57)【要約】【課題】スタンド式扇風機を組み合わせた空気清浄設備を提供する。【解決手段】駆動装置、前記駆動装置に接続され、前記駆動装置が回転翼を回転させて気流を起こす複数の回転翼、および前記駆動装置の上に設置され、前記気流が前記フィルター装置と前記回転翼を通過するフィルター装置を含む空気清浄設備。【選択図】図１ａ
2008232136.tif 000002
【特許請求の範囲】
【請求項１】
駆動装置、
前記駆動装置に接続され、前記駆動装置が回転翼を回転させて気流を起こす複数の回転翼、および
前記駆動装置の上に設置され、前記気流が前記フィルター装置と前記回転翼を通過するフィルター装置を含む空気清浄設備。
【請求項２】
前記フィルター装置は、環状をなし、前記駆動装置の周りに設置される請求項１記載の空気清浄設備。
【請求項３】
前記フィルター装置は、チャンバ、光触媒フィルターと、光源を含み、前記光触媒フィルターが前記チャンバの中に設置され、前記光源が前記光触媒フィルターに紫外線を提供し、前記気流が前記光触媒フィルターを通過する請求項１記載の空気清浄設備。
【請求項４】
前記光触媒フィルターは、複数の球状素子を含み、各球状素子の表面は、光触媒材料が塗布される請求項３記載の空気清浄設備。
【請求項５】
前記球状素子は、ガラス珠である請求項４記載の空気清浄設備。
【請求項６】
前記球状素子の直径は４ミリである請求項４記載の空気清浄設備。
【請求項７】
前記光触媒フィルターは、複数の透明の粒子素子を含み、各透明の粒子素子の表面は光触媒材料が塗布される請求項３記載の空気清浄設備。
【請求項８】
前記光触媒フィルターは、ニッケルネットを含み、前記ニッケルネットの表面は、光触媒材料が塗布される請求項３記載の空気清浄設備。
【請求項９】
前記フィルター装置は、前記気流がそれを通過する活性炭フィルターを含む請求項１記載の空気清浄設備。
【請求項１０】
扇風機の上に設置され、前記扇風機が気流を駆動し、
チャンバ、
前記チャンバの中に設置される光触媒フィルター、および
それが前記光触媒フィルターに紫外線を提供し、前記気流が前記光触媒フィルターを通過する光源を含むフィルター装置。
【請求項１１】
前記光触媒フィルターは、複数の球状素子を含み、各球状素子の表面は、光触媒材料が塗布される請求項１０記載のフィルター装置。
【請求項１２】
前記球状素子は、ガラス珠である請求項１１記載のフィルター装置。
【請求項１３】
前記球状素子の直径は４ミリである請求項１１記載のフィルター装置。
【請求項１４】
前記光触媒フィルターは、複数の透明の粒子素子を含み、各透明の粒子素子の表面は光触媒材料が塗布される請求項１０記載のフィルター装置。
【請求項１５】
前記光触媒フィルターは、ニッケルネットを含み、前記ニッケルネットの表面は、光触媒材料が塗布される請求項１０記載のフィルター装置。
【請求項１６】
前記気流が通過する活性炭フィルターをさらに含む請求項１０記載のフィルター装置。
【請求項１７】
前記扇風機は、スタンド式扇風機である請求項１０記載のフィルター装置。
【発明の詳細な説明】
【技術分野】
【０００１】
本発明は、空気清浄設備に関し、特に、スタンド式扇風機を組み合わせた空気清浄設備に関するものである。
【背景技術】
【０００２】
使用者が従来の空気清浄設備（空気清浄機）を購入する時、しばしば空気清浄機とスタンド式（床置き）扇風機が同時に存在することがある。家電製品が増えて乱雑な状態となる。また、従来の空気清浄機の扇風機の効率は比較的低く、空気がろ過する速度が遅く、かつ、コストが高く、市場に充分に受け入れられない。
【発明の開示】
【発明が解決しようとする課題】
【０００３】
従来技術の問題を解決するために、本発明は、スタンド式扇風機を組み合わせた空気清浄設備を提供する。
【課題を解決するための手段】
【０００４】
本発明の空気清浄設備は、駆動装置、複数の回転翼と、フィルター装置を含む。回転翼は、駆動装置に接続され、駆動装置は、回転翼を回転させて気流を起こす。フィルター装置は、駆動装置の上に設置され、気流がフィルター装置と回転翼を通過する。
【発明の効果】
【０００５】
本発明の空気清浄設備を用いると、より大きな気流が流れ、より速く空気清浄の効果が得られ、扇風機の送風性能を提供し、家電製品も同時に減少することができる。
【発明を実施するための最良の形態】
【０００６】
本発明についての目的、特徴、長所が一層明確に理解されるよう、以下に実施形態を例示し、図面を参照にしながら、詳細に説明する。
【実施例】
【０００７】
図１ａは本発明の空気清浄設備１を示しており、駆動装置１０、複数の回転翼２０と、フィルター装置３０と、ベース４０を含む。回転翼２０は、駆動装置１０に接続され、駆動装置１０は、回転翼２０を回転させて気流２を起こす。フィルター装置３０は、駆動装置１０の上に設置され、気流２がフィルター装置３０と回転翼２０を通過する。駆動装置１０は、ベース４０の上に取り付けられる。駆動装置１０、回転翼２０と、ベース４０は、スタンド式扇風機を構成する。
【０００８】
図１ｂを参照すると、フィルター装置３０は、環状をなし、駆動装置１０の周りに設置される。
【０００９】
図２ａはフィルター装置３０の断面図であり、フィルター装置３０は、チャンバ３１、光触媒フィルター３２、光源３３と、活性炭フィルター３４を含む。光触媒フィルター３２、光源３３と、活性炭フィルター３４は、チャンバ３１の中に設置される。光触媒フィルター３２は、活性炭フィルター３４の間に位置され、複数の球状素子を含み、各球状素子の表面は、光触媒材料が塗布される。本発明の実施例では、球状素子は、ガラス珠からなり、その直径は４ミリである。その他の実施例では、ガラス珠は、その他の形状の透明の粒子素子で置き換えることもでき、あるいは、単純にニッケルネットで置き換え、ニッケルネットの上に光触媒材料が塗布されることもできる。光源３３は、光触媒フィルター３２に紫外線を提供する。チャンバ３１の表面は、穿通孔３５が設けられ、気流２が穿通孔３５より活性炭フィルター３４と光触媒フィルター３２を通過することで、ろ過されて、混合物が分解される。
【００１０】
図２ｂを参照すると、光源３３は、環状配列の方式でチャンバ３１の内壁上に設置され、よって、光触媒フィルターに紫外線を均一に提供する。穿通孔３５の形状と分布方式は、実際の需要によって任意に調整することができる。
【００１１】
図２ｃを参照すると、商用電源電圧（交流電源電圧）Ｖｄｄが空気清浄設備１に流れた後、まず、電源供給器５０に入り、続いて、電源供給器５０が光源３３と駆動装置１０に電力をそれぞれ供給する。
【００１２】
図３は、本発明の空気清浄装置の清浄効果を示している。実験のプロセスでは、密閉空間内で、マーカーのインクを汚染源として用い、ガス検出器で密閉空間内の汚染濃度を検出している。図３では、曲線６１は、密閉空間内で、本発明の空気清浄設備で清浄を行っていない時の汚染濃度を指しており、曲線６２は、密閉空間内で、本発明の空気清浄設備で清浄を行った時の汚染濃度を指している。図３よりわかるように、本発明の空気清浄設備を用いると、気流がフィルター装置３０に素早く効果的に通過することで、ろ過されて、混合物が分解され、高効率の清浄効果を得ることができる。
【００１３】
実施例では、フィルター装置３０は、解体可能な方式で駆動装置の上に取り付けられ、独立した回路システムを用いて電力を供給することもできる。よって、本発明のフィルター装置３０は、すでに購入してあるスタンド式扇風機に直接、取り付けることもでき、空気清浄設備を購入するコストを節約することができる。
【００１４】
以上、本発明の好適な実施例を例示したが、これは本発明を限定するものではなく、本発明の精神および範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１５】
【図１ａ】本発明の空気清浄設備の側面図を示している。
【図１ｂ】本発明の空気清浄設備の背面図を示している。
【図２ａ】フィルター装置の断面図を示している。
【図２ｂ】光源の配列状態を示している。
【図２ｃ】本発明の空気清浄設備の回路ブロック図を示している。
【図３】本発明の空気清浄設備の空気清浄効果を示している。
【符号の説明】
【００１６】
１  空気清浄設備
２  気流
１０  駆動装置
２０  回転翼
３０  フィルター装置
３１  チャンバ
３２  光触媒フィルター
３３  光源
３４  活性炭フィルター
３５  穿通孔
４０  ベース
５０  電源供給器
６１、６２  曲線
【図１ａ】
2008232136.tif 000003
【図１ｂ】
2008232136.tif 000004
【図２ａ】
2008232136.tif 000005
【図２ｂ】
2008232136.tif 000006
【図２ｃ】
2008232136.tif 000007
【図３】
2008232136.tif 000008